(57)【特許請求の範囲】
【請求項１】
美術館システムと、監視センターシステムと、前記美術館システムおよび前記監視センターを接続するネットワークとを備え、
監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、
前記美術館システムから監視依頼を受信すると前記ネットワークを介し監視条件を送信し、前記美術館システムから監視の決定通知を受信すると前記ネットワークを介し前記美術館システムに監視受諾通知を送信し、前記美術館システムから異常発生通知を受信するとアラームを鳴動させ、前記美術館システムから試験異常発生通知を受信すると試験異常発生を表示する前記監視センターシステムとを有することを特徴とする監視システム。
【請求項２】
美術館システムと、監視センターシステムと、前記美術館システムおよび前記監視センターを接続するネットワークとを備え、
監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、
前記美術館システムから監視依頼を受信すると前記ネットワークを介し監視条件を送信し、前記美術館システムから監視の決定通知を受信すると前記ネットワークを介し前記美術館システムに監視受諾通知を送信し、前記美術館システムから異常発生通知を受信するとアラームを鳴動させ、前記美術館システムから試験異常発生通知を受信すると試験異常発生を表示し、監視サイクルに達しても試験異常発生通知を前記美術館システムから受信しないと前記アラームを鳴動させる前記監視センターシステムとを有することを特徴とする監視システム。
【請求項３】
美術館システムと、監視センターシステムと、保険会社システムと、金融機関システムと、前記美術館システム、前記監視センター、および、前記保険会社システムを接続するネットワークとを備え、
監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、
前記美術館システムから監視依頼を受信すると前記ネットワークを介し監視条件を送信し、前記美術館システムから監視の決定通知を受信すると前記ネットワークを介し前記金融機関システムに監視費用・保険料の振り込み依頼を送信し、前記金融機関システムから振り込み完了通知を受信すると前記ネットワークを介し前記美術館システムに監視受諾通知を送信し、前記美術館システムから異常発生通知を受信するとアラームを鳴動させ、前記ネットワークを介し前記保険会社システムに保険金の請求を送信し、前記美術館システムから試験異常発生通知を受信すると試験異常発生を表示する前記監視センターシステムと、
前記監視センターシステムから監視費用・保険料の振り込み依頼を受信すると、第１の口座に監視費用・保険料を振り込み、前記ネットワークを介して前記監視センターシステムに振り込み完了通知を送信し、前記保険会社システムから保険金の振り込み依頼を受信すると第２の口座に保険金を入金する前記金融機関システムと、
前記監視センターシステムから保険金の請求を受信すると前記ネットワークを介し前記金融機関システムに保険金の振り込み依頼を送信する前記保険会社システムとを有することを特徴とする監視システム。
【請求項４】
美術館システムと、監視センターシステムと、保険会社システムと、金融機関システムと、前記美術館システム、前記監視センター、および、前記保険会社システムを接続するネットワークとを備え、
監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、
前記美術館システムから監視依頼を受信すると前記ネットワークを介し監視条件を送信し、前記美術館システムから監視の決定通知を受信すると前記ネットワークを介し前記金融機関システムに監視費用・保険料の振り込み依頼を送信し、前記金融機関システムから振り込み完了通知を受信すると前記ネットワークを介し前記美術館システムに監視受諾通知を送信し、前記美術館システムから異常発生通知を受信するとアラームを鳴動させ、前記ネットワークを介し前記保険会社システムに保険金の請求を送信し、前記美術館システムから試験異常発生通知を受信すると試験異常発生を表示し、監視サイクルに達しても試験異常発生通知を前記美術館システムから受信しないと前記アラームを鳴動させる前記監視センターシステムと、
前記監視センターシステムから監視費用・保険料の振り込み依頼を受信すると、第１の口座に監視費用・保険料を振り込み、前記ネットワークを介して前記監視センターシステムに振り込み完了通知を送信し、前記保険会社システムから保険金の振り込み依頼を受信すると第２の口座に保険金を入金する前記金融機関システムと、
前記監視センターシステムから保険金の請求を受信すると前記ネットワークを介し前記金融機関システムに保険金の振り込み依頼を送信する前記保険会社システムとを有することを特徴とする監視システム。
【請求項５】
美術館手順と、監視センター手順とを含み、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示する前記監視センター手順とを含むことを特徴とする監視方法。
【請求項６】
美術館手順と、監視センター手順とを含み、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示し、監視サイクルに達しても試験異常発生通知を前記美術館手順から受信しないと前記アラームを鳴動させる前記監視センター手順とを含むことを特徴とする監視方法。
【請求項７】
美術館手順と、監視センター手順と、保険会社手順と、金融機関手順とを含み、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示する前記監視センター手順と、
前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、
前記監視センター手順から保険金の請求を受信すると前記ネットワークを介し前記金融機関手順に保険金の振り込み依頼を送信する前記保険会社手順とを含むことを特徴とする監視方法。
【請求項８】
美術館手順と、監視センター手順と、保険会社手順と、金融機関手順とを含み、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示し、監視サイクルに達しても試験異常発生通知を前記美術館手順から受信しないと前記アラームを鳴動させる前記監視センター手順と、
前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、
前記監視センター手順から保険金の請求を受信すると前記ネットワークを介し前記金融機関手順に保険金の振り込み依頼を送信する前記保険会社手順とを含むことを特徴とする監視方法。
【請求項９】
美術館手順と、監視センター手順とである、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示する前記監視センター手順とをコンピュータに実行させることを特徴とする監視プログラム。
【請求項１０】
美術館手順と、監視センター手順とである、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示し、監視サイクルに達しても試験異常発生通知を前記美術館手順から受信しないと前記アラームを鳴動させる前記監視センター手順とをコンピュータに実行させることを特徴とする監視プログラム。
【請求項１１】
美術館手順と、監視センター手順と、保険会社手順と、金融機関手順とである、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示する前記監視センター手順と、
前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、
前記監視センター手順から保険金の請求を受信すると前記ネットワークを介し前記金融機関手順に保険金の振り込み依頼を送信する前記保険会社手順とをコンピュータに実行させることを特徴とする監視プログラム。
【請求項１２】
美術館手順と、監視センター手順と、保険会社手順と、金融機関手順とである、
監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、
前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示し、監視サイクルに達しても試験異常発生通知を前記美術館手順から受信しないと前記アラームを鳴動させる前記監視センター手順と、
前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、
前記監視センター手順から保険金の請求を受信すると前記ネットワークを介し前記金融機関手順に保険金の振り込み依頼を送信する前記保険会社手順とをコンピュータに実行させることを特徴とする監視プログラム。
【発明の詳細な説明】
【０００１】
【発明の属する技術分野】
本発明は、監視システム、監視方法、および、監視プログラムに関し、特に、自動的に異常を検知し、通報する監視システム、監視方法、および、監視プログラムに関する。
【０００２】
【従来の技術】
画像による監視システムとしては、たとえば、「特開平８−６５５５５号公報」記載の技術がある。この技術は、「警備対象施設内に設置され、警備対象施設内を撮影して画像信号を出力するテレビカメラと、そのテレビカメラが送出する正常時の画像信号を基準画像として記憶するとともに、テレビカメラにより撮影された画像信号と記憶された基準画像を比較し、両者の差があらかじめ設定した値以上のときには警備対象施設内に異常が発生したと判断し、警報及び画像信号を出力する画像センサと、その画像センサに接続され、予め設定された異なる時刻に第１の出力指令信号、第２の出力指令信号をそれぞれ出力するタイマ、そのタイマが送出する第１の出力指令信号が入力すると画像比較信号を出力する画像比較信号出力部、前記タイマが送出する第２の出力指令信号が入力すると基準画像取込信号を出力する基準画像取込信号出力部を備えた出力信号制御装置と、前記画像センサが送出する警報が入力したときに警報と画像信号を異常画像信号として通信回線を介して送信する画像送信制御部と、その画像送信制御部が送信する画像信号及び異常画像信号を受信し、画像表示する監視センタ装置を備え、前記出力信号制御装置が送出する基準画像取込信号が前記画像センサに入力すると前記テレビカメラが送出する画像信号を前記画像センサは基準画像として記憶し、前記出力信号制御装置が送出する画像比較信号が前記画像センサに入力すると前記テレビカメラが送出する画像信号と記憶している基準画像とを比較し、基準画像の更新を自動的に実施し、季節の変化に対応可能としたシステムである。
【０００３】
【発明が解決しようとする課題】
上述した従来の技術の第１の問題点は、異常を正確に検出できるかどうかの試験ができないことである。
【０００４】
その理由は、テレビカメラの位置が固定あり、故意に基準画像と異なる画像を撮影できないからである。
【０００５】
第２の問題点は、監視費用、保険料等の処理がめんどうなことである。
【０００６】
その理由は、ネットワークを介して、保険会社、金融機関等と接続されていないからである。
【０００７】
本発明の目的は、撮影機の定期的な移動により、正常性を試験でき、かつ、保険会社、金融機関とネットワークで接続された監視システムを実現することである。
【０００８】
【課題を解決するための手段】
本発明の第１の監視システムは、美術館システムと、監視センターシステムと、前記美術館システムおよび前記監視センターを接続するネットワークとを備え、監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、前記美術館システムから監視依頼を受信すると前記ネットワークを介し監視条件を送信し、前記美術館システムから監視の決定通知を受信すると前記ネットワークを介し前記美術館システムに監視受諾通知を送信し、前記美術館システムから異常発生通知を受信するとアラームを鳴動させ、前記美術館システムから試験異常発生通知を受信すると試験異常発生を表示する前記監視センターシステムとを有することを特徴とする。
【０００９】
本発明の第２の監視システムは、美術館システムと、監視センターシステムと、前記美術館システムおよび前記監視センターを接続するネットワークとを備え、監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、前記美術館システムから監視依頼を受信すると前記ネットワークを介し監視条件を送信し、前記美術館システムから監視の決定通知を受信すると前記ネットワークを介し前記美術館システムに監視受諾通知を送信し、前記美術館システムから異常発生通知を受信するとアラームを鳴動させ、前記美術館システムから試験異常発生通知を受信すると試験異常発生を表示し、監視サイクルに達しても試験異常発生通知を前記美術館システムから受信しないと前記アラームを鳴動させる前記監視センターシステムとを有することを特徴とする。
【００１０】
本発明の第３の監視システムは、美術館システムと、監視センターシステムと、保険会社システムと、金融機関システムと、前記美術館システム、前記監視センター、および、前記保険会社システムを接続するネットワークとを備え、監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、前記美術館システムから監視依頼を受信すると前記ネットワークを介し監視条件を送信し、前記美術館システムから監視の決定通知を受信すると前記ネットワークを介し前記金融機関システムに監視費用・保険料の振り込み依頼を送信し、前記金融機関システムから振り込み完了通知を受信すると前記ネットワークを介し前記美術館システムに監視受諾通知を送信し、前記美術館システムから異常発生通知を受信するとアラームを鳴動させ、前記ネットワークを介し前記保険会社システムに保険金の請求を送信し、前記美術館システムから試験異常発生通知を受信すると試験異常発生を表示する前記監視センターシステムと、前記監視センターシステムから監視費用・保険料の振り込み依頼を受信すると、第１の口座に監視費用・保険料を振り込み、前記ネットワークを介して前記監視センターシステムに振り込み完了通知を送信し、前記保険会社システムから保険金の振り込み依頼を受信すると第２の口座に保険金を入金する前記金融機関システムと、前記監視センターシステムから保険金の請求を受信すると前記ネットワークを介し前記金融機関システムに保険金の振り込み依頼を送信する前記保険会社システムとを有することを特徴とする。
【００１１】
本発明の第４の監視システムは、美術館システムと、監視センターシステムと、保険会社システムと、金融機関システムと、前記美術館システム、前記監視センター、および、前記保険会社システムを接続するネットワークとを備え、監視依頼を前記ネットワークを介し前記監視センターシステムに送信し、前記監視センターシステムからの監視条件を表示し、入力された監視の決定通知を前記ネットワークを介し前記監視センターシステムに送信し、前記監視センターシステムからの監視受諾通知を表示し、撮影機を起動し、前記撮影機からの対象物の画像を初期画像とし保存し、前記撮影機からの画像と初期画像とをリアルタイムで比較し、不一致を検出すると、前記監視センターシステムに前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センターシステムに送信する前記美術館システムと、前記美術館システムから監視依頼を受信すると前記ネットワークを介し監視条件を送信し、前記美術館システムから監視の決定通知を受信すると前記ネットワークを介し前記金融機関システムに監視費用・保険料の振り込み依頼を送信し、前記金融機関システムから振り込み完了通知を受信すると前記ネットワークを介し前記美術館システムに監視受諾通知を送信し、前記美術館システムから異常発生通知を受信するとアラームを鳴動させ、前記ネットワークを介し前記保険会社システムに保険金の請求を送信し、前記美術館システムから試験異常発生通知を受信すると試験異常発生を表示し、監視サイクルに達しても試験異常発生通知を前記美術館システムから受信しないと前記アラームを鳴動させる前記監視センターシステムと、前記監視センターシステムから監視費用・保険料の振り込み依頼を受信すると、第１の口座に監視費用・保険料を振り込み、前記ネットワークを介して前記監視センターシステムに振り込み完了通知を送信し、前記保険会社システムから保険金の振り込み依頼を受信すると第２の口座に保険金を入金する前記金融機関システムと、前記監視センターシステムから保険金の請求を受信すると前記ネットワークを介し前記金融機関システムに保険金の振り込み依頼を送信する前記保険会社システムとを有することを特徴とする。
【００１２】
本発明の第１の監視方法は、美術館手順と、監視センター手順とを含み、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示する前記監視センター手順とを含むことを特徴とする。
【００１３】
本発明の第２の監視方法は、美術館手順と、監視センター手順とを含み、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示し、監視サイクルに達しても試験異常発生通知を前記美術館手順から受信しないと前記アラームを鳴動させる前記監視センター手順とを含むことを特徴とする。
【００１４】
本発明の第３の監視方法は、美術館手順と、監視センター手順と、保険会社手順と、金融機関手順とを含み、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示する前記監視センター手順と、前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、前記監視センター手順から保険金の請求を受信すると前記ネットワークを介し前記金融機関手順に保険金の振り込み依頼を送信する前記保険会社手順とを含むことを特徴とする。
【００１５】
本発明の第４の監視方法は、美術館手順と、監視センター手順と、保険会社手順と、金融機関手順とを含み、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示し、監視サイクルに達しても試験異常発生通知を前記美術館手順から受信しないと前記アラームを鳴動させる前記監視センター手順と、前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、前記監視センター手順から保険金の請求を受信すると前記ネットワークを介し前記金融機関手順に保険金の振り込み依頼を送信する前記保険会社手順とを含むことを特徴とする。
【００１６】
本発明の第１の監視プログラムは、美術館手順と、監視センター手順とである、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示する前記監視センター手順とをコンピュータに実行させることを特徴とする。
【００１７】
本発明の第２の監視プログラムは、美術館手順と、監視センター手順とである、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記美術館手順に監視受諾通知を送信し、前記美術館手順から異常発生通知を受信するとアラームを鳴動させ、前記美術館手順から試験異常発生通知を受信すると試験異常発生を表示し、監視サイクルに達しても試験異常発生通知を前記美術館手順から受信しないと前記アラームを鳴動させる前記監視センター手順とをコンピュータに実行させることを特徴とする。
【００１８】
本発明の第３の監視プログラムは、美術館手順と、監視センター手順と、保険会社手順と、金融機関手順とである、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示する前記監視センター手順と、前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、前記監視センター手順から保険金の請求を受信すると前記ネットワークを介し前記金融機関手順に保険金の振り込み依頼を送信する前記保険会社手順とをコンピュータに実行させることを特徴とする。
【００１９】
本発明の第４の監視プログラムは、美術館手順と、監視センター手順と、保険会社手順と、金融機関手順とである、監視依頼をネットワークを介し前記監視センター手順に送信し、前記監視センター手順からの監視条件を表示し、入力された監視の決定通知を前記ネットワークを介し前記監視センター手順に送信し、前記監視センター手順からの監視受諾通知を表示し、撮影機を起動し、前記撮影機からの対象物の画像を初期画像とし保存し、前記撮影機からの画像と初期画像とをリアルタイムで比較し、不一致を検出すると、前記監視センター手順に前記ネットワークを介して異常発生通知を送信し、不一致を検出しないと、事前に設定された監視サイクルに達していれば、前記撮影機を移動させ、移動後の場所から撮影された前記対象物の画像と初期画像とを比較し、その結果により試験異常発生通知を前記監視センター手順に送信する前記美術館手順と、前記美術館手順から監視依頼を受信すると前記ネットワークを介し監視条件を送信し、前記美術館手順から監視の決定通知を受信すると前記ネットワークを介し前記金融機関手順に監視費用・保険料の振り込み依頼を送信し、前記金融機関手順から振り込み完了通知を受信すると前記ネットワークを介し前記美術館手順に監視受諾通知を送信し、前記美術館手順から異常発生通知を受信するとアラームを鳴動させ、前記ネットワークを介し前記保険会社手順に保険金の請求を送信し、前記美術館手順から試験異常発生通知を受信すると試験異常発生を表示し、監視サイクルに達しても試験異常発生通知を前記美術館手順から受信しないと前記アラームを鳴動させる前記監視センター手順と、前記監視センター手順から監視費用・保険料の振り込み依頼を受信すると、第１の口座に監視費用・保険料を振り込み、前記ネットワークを介して前記監視センター手順に振り込み完了通知を送信し、前記保険会社手順から保険金の振り込み依頼を受信すると第２の口座に保険金を入金する前記金融機関手順と、前記監視センター手順から保険金の請求を受信すると前記ネットワークを介し前記金融機関手順に保険金の振り込み依頼を送信する前記保険会社手順とをコンピュータに実行させることを特徴とする。
【００２０】
【発明の実施の形態】
次に、本発明の第１の実施の形態について図面を参照して詳細に説明する。
【００２１】
図１は、本発明の第１の実施の形態の構成を示すブロック図である。
【００２２】
図１を参照すると、本発明の第１の実施の形態は、美術館システム１０と、監視センターシステム２０と、保険会社システム３０と、金融機関システム４０と、これらを接続するインターネット等のネットワーク５００とから構成される。
【００２３】
図２は、美術館システム１０の構成を示すブロック図である。
【００２４】
美術館システム１０は、美術品を展示する目的の美術館に設置されるシステムであり、図２を参照すると、依頼端末１０１、処理装置１０２、画像保存データベース１０３、美術品１０４、および、ビデオカメラ１０５（撮影機であればよい）を含んで構成される。
【００２５】
依頼端末１０１は、パーソナルコンピュータ、あるいは、携帯電話等で構成され、監視センターシステム２０に対してネットワーク５００を介して美術品（たとえば美術品１０４）の監視を依頼する目的の端末である。
【００２６】
処理装置１０２は、パーソナルコンピュータ、あるいは、ワークステーション等の情報処理装置で構成され、固定場所Ｘ、Ｙ等からビデオカメラ１０５により撮影された美術品１０４の映像を読みとって画像保存データベース１０３に最初に格納し、その後、ビデオカメラ１０５により常時撮影される美術品１０４の映像とリアルタイムに比較し、一致しなかった場合は、異常を検出してネットワーク５００を介して監視センターシステム２０へ異常発生を通報する機能を有する。
【００２７】
さらに、処理装置１０２は、事前に設定された監視サイクルＫを経過後、ビデオカメラ１０５の設置位置を移動させて別の場所Ｙから撮影し、前記画像保存データベース１０３に格納された画像と比較することにより故意に異常状態を発生させ、その異常を検知することにより、正確に異常を検出することを確認する機能を持つ。
【００２８】
画像保存データベース１０３は、ビデオカメラ１０５により撮影された美術品１０４の静止画を保存するデータベースである。
【００２９】
美術品１０４は、絵画や彫刻、陶磁器、および、漆製品等を総称し、盗難監視対象の高価な美術品である。
【００３０】
ビデオカメラ１０５は、美術品１０４を常時監視する目的のものであり、最初に美術品１０４を撮影して、処理装置１０２へ静止画を送付し、その後、引き続きリアルタイムに美術品１０４を撮影し続ける機能を持つ。
【００３１】
図３は、監視センターシステム２０の構成を示すブロック図である。
【００３２】
監視センターシステム２０は、美術品の監視依頼の受け付ける機能と、監視時の異常事態に対しアラーム等を鳴動して監視員に異常状態を通知する機能を持ち、図３を参照すると、処理装置２０１、および、保険データベース２０２を含んで構成される。
【００３３】
処理装置２０１は、ワークステーション等の情報処理装置で構成され、美術館システム１０の依頼端末１０１からの監視依頼の受け付けの機能、美術館システム１０の処理装置１０２からの異常状態を受け取ってアラームの鳴動等の手段により監視員に異常を連絡する機能、および、保険データベース２０２を参照して美術品の保険金や保険料を算出する機能を有する。
【００３４】
図４は、保険データベース２０２の内容を示す説明図である。
保険データベース２０２は、美術品毎の保険金額や保険料を格納するデータベースであり、図４を参照すると、たとえば、美術品の名称、制作者、制作年月日、損傷時の保険金額、保険料等を含む。
【００３５】
保険会社システム３０は、美術品が展示中に損傷した場合に保険データベース２０２の内容に基づいて監視センターシステム２０の要請により美術館システム１０へ保険金を支払う保険会社に設置される。
【００３６】
金融機関システム４０は、美術品監視の依頼者が口座を保有する金融機関に設置される。金融機関システム４０は、美術品の監視開始時に監視センターシステム２０により計算された監視費用、および、保険料の自動振り込み依頼を受けて、依頼者の口座から監視費用、および、保険料を自動引き落としして監視センターシステム２０により指定される口座に費用を自動振り込みする機能を持つ。
【００３７】
次に、本発明の第１の実施の形態の動作について図面を参照して説明する。
【００３８】
図５は、本発明の第１の実施の形態の動作を示すフローチャートである。
【００３９】
図６は、本発明の第１の実施の形態の動作を示すフローチャートである。
【００４０】
図７は、美術品の盗難監視依頼の内容を示す説明図である。
【００４１】
図８は、監視依頼に対する監視条件を示す説明図である。
【００４２】
図９は、場所Ｘでのビデオカメラ１０５からの画像を示す説明図である。
【００４３】
図１０は、場所Ｙでのビデオカメラ１０５からの画像を示す説明図である。
【００４４】
図１１は、画像に異物を含む画像を示す説明図である。
【００４５】
図５を参照すると、まず、美術館の依頼者は、たとえば、図７に示す盗難監視依頼のデータを依頼端末１０１に入力し、依頼端末１０１は、入力された依頼内容のデータをネットワーク５００を介して美術品の盗難監視依頼のデータを送信する（図５ステップＡ１）。
【００４６】
図７を参照すると、依頼者の氏名は、「Ａ」であり、依頼者の住所は、「Ｂ」であり、依頼者の電話番号は、「Ｃ」であり、依頼者のメールアドレスは、「Ｄ」であり、依頼対象の美術品１０４の名称は、「Ｅ」であり、依頼対象の美術品１０４の制作者は、「Ｆ」であり、依頼対象の美術品１０４の制作年月日は、「Ｇ」であり、監視費用・保険料払い込み、および、保険金受け取りのための金融機関・口座番号は、「Ｈ」であり、監視期間は、「Ｚ」であり、監視サイクルは、「Ｋ」である。ここで、監視費用・保険料払い込みのための金融機関・口座番号、または、保険金受け取りのための金融機関・口座番号は、別々であってもよい。
【００４７】
監視センターシステム２０の処理装置２０１は、依頼端末１０１から盗難監視依頼のデータを受信すると、依頼対象の美術品の名称「Ｅ」、制作者「Ｆ」、制作年月日「Ｇ」をキーワードとして保険データベース２０２を検索し、たとえば、図８に示すように、損傷時の保険金額１千万円、保険金に対応した保険料５万円、および、事前に設定された監視費用５０万円を含む監視条件データをネットワーク５００を介して美術館システム１０に返送する（図５ステップＢ１）。
【００４８】
次に、美術館システム１０の依頼端末１０１は、監視センターシステム２０からの監視条件データを受信するとディスプレイ等の画面に表示し（図５ステップＡ２）、美術館の依頼者が盗難監視の決定しないことを意図し、「ＮＯ」ボタンをクリックすると、それを受け付け（図５ステップＡ３／ＮＯ）、処理を終了する。
【００４９】
依頼端末１０１は、美術館の依頼者が盗難監視の決定を意図し、「ＹＥＳ」ボタンをクリックすると、それを受け付け（図５ステップＡ３／ＹＥＳ）、ネットワーク５００を介して監視センターシステム２０へ盗難監視の決定通知を送信する（図５ステップＡ４）。
【００５０】
監視センターシステム２０の処理装置２０１は、盗難監視の決定通知を受信すると、盗難監視の保険料５万円と監視費用５０万円とを合算してネットワーク５００を介して、監視費用・保険料払い込みのための金融機関の金融機関システム４０に対して、口座番号を含む合算額の振り込み依頼を送信する（図５ステップＢ２）。
【００５１】
金融機関システム４０は、合算額の振り込み依頼依頼を受信すると、通知された口座番号の口座から合算費用（監視費用５０万円＋保険料５万円）を引き落として、監視センターシステム２０が指定する（事前に指定しておく）銀行（別の銀行でもよい）の口座へ自動振り込みをし（図５ステップＣ１）、ネットワーク５００を介して監視センターシステム２０へ振り込んだことを示す振り込み完了通知を送信する（図５ステップＣ２）。
【００５２】
監視センターシステム２０の処理装置２０１は、金融機関システム４０から振り込み完了通知を受け取ると、美術館システム１０の依頼端末１０１に振り込み完了通知のよる盗難監視受諾通知を送信する（図５ステップＢ３）。
【００５３】
美術館システム１０の依頼端末１０１は、盗難監視受諾通知を受信すると、画面に、盗難監視受諾通知を表示する（図５ステップＡ５）。
【００５４】
美術館の依頼者は、盗難監視受諾通知を観測すると、監視用のビデオカメラ１０５を、監視対象の美術品１０４（名称はＥ）が撮影できる場所Ｘに設置する。
【００５５】
たとえば、ビデオカメラ１０５は、モーター等が付加されており、美術品１０４（名称はＥ）が撮影できる他の場所Ｙに移動可能とする。この移動は、美術館システム１０の処理装置１０２により、遠隔制御で実施可能な構成とする。
【００５６】
美術館の依頼者は、美術館システム１０の処理装置１０２を起動する。
【００５７】
起動された処理装置１０２は、ビデオカメラ１０５を起動する。次に、ビデオカメラ１０５により場所Ｘから美術品１０４を撮影された１画面を初期画像（たとえば、図９に示す画像）として画像保存データベース１０３に保存する（図５ステップＡ６）。
【００５８】
ビデオカメラ１０５は、美術品１０４の撮影を続行し、処理装置１０２は、ビデオカメラ１０５から送信される画像と画像保存データベース１０３に格納されている初期画像とをリアルタイムに比較する（図５ステップＡ７）。
【００５９】
処理装置１０２は、比較した結果が一致していれば（図６ステップＡ７／ＹＥＳ）、異常無しと判断して、監視サイクルＫ（たとえば、３日）に達したかどうか判断し（図５ステップＡ８）、監視サイクルＫに達していなければ（図５ステップＡ８／ＮＯ）、ステップＡ７に戻り、比較を続行する。監視サイクルＫに達していると（図５ステップＡ８／ＹＥＳ）、処理装置１０２は、ビデオカメラ１０５を場所Ｘから場所Ｙへ遠隔制御で自動的に移動させる（図５ステップＡ９）。
【００６０】
次に、処理装置１０２は、ビデオカメラ１０５が場所Ｙから美術品１０４を撮影した画像（たとえば、図１０に示す画像）を受信して画像保存データベース１０３の初期画像と比較する（図５ステップＡ１０）。比較結果は、図９に示す画像と図１０に示す画像とを比較すると明らかなように不一致となるので、ネットワーク５００を介して監視センターシステム２０に対し監視サイクルＫをすぎたことを示す試験異常発生通知を送信する（図５ステップＡ１１）。
【００６１】
監視センターシステム２０は、試験異常発生を受け取ると、試験であると判断し（図５ステップＢ４）、監視システムが正常に異常を検出することを確認し、“予定通りの異常検出”としてディスプレイ等に表示する（図５ステップＢ５）。
【００６２】
次に、美術館システム１０の処理装置１０２は、監視期間Ｚに達したかどうか判断し（図５ステップＡ１２）、達していれば（図５ステップＡ１２／ＹＥＳ））、処理を終了し、達していなければ（図５ステップＡ１２／ＮＯ）、ステップＡ６に戻り、場所Ｙからビデオカメラ１０５が撮影した画像を初期画像として画像保存データベース１０３に格納し直し（図５ステップＡ６）、引き続き監視を継続する（図５ステップＡ７）。
【００６３】
また、処理装置１０２は、比較した結果が一致していなければ（図６ステップＡ７／ＮＯ）、たとえば、図１１に示すように画面中に異物が撮影された場合、異常が発生したと判断して直ちにネットワーク５００を介して異常発生通知を送信する（図６ステップＡ１３）。
【００６４】
監視センターシステム２０は、美術館システム１０からの異常発生通知を受信すると、付属するアラームを鳴動する（図６ステップＢ６）。
【００６５】
なお、監視員への指示方法に関してはアラームの鳴動以外にも携帯電話の緊急連絡や警備会社への連絡等色々な手段が可能である。
【００６６】
次に、監視センターの監視員は、美術館と連絡を取り、監視対象美術品の損傷を調査し、損傷が確認されれば、監視センターシステム２０に、保険金の支払い指示を入力する。監視センターシステム２０の処理装置２０１は、ネットワーク５００を介して保険会社システム３０に保険金１千万円（図８参照）を請求する（図６ステップＢ７）。
【００６７】
保険会社システム３０は美術館システム１０の指定する金融機関・口座（図７参照、Ｈ）に対して保険金１千万円を振り込む振り込み通知を金融機関システム４０に送信する（図６ステップＤ１）。金融機関システム４０は、保険会社システム３０から保険金の振り込み通知を受け取ると、指定された口座（Ｈ）に１保険金を入金する（図６ステップＣ３）。
【００６８】
また、監視センターシステム２０の処理装置２０１は、監視期間Ｚを経過すると、ディスプレイ等に、そのことを表示する。
【００６９】
また、監視センターシステム２０は、監視サイクルＫを経過しても、美術館システム１０から試験異常通知を受信しない場合に、アラームを鳴動させることも可能である。
【００７０】
次に、ビデオカメラ１０５について詳細に説明する。
【００７１】
図１２は、ビデオカメラ１０５の構成を示す説明図である。
【００７２】
図１３は、ビデオカメラ１０５の移動を示す説明図である。
【００７３】
図１２を参照すると、ビデオカメラ１０５は、カメラ本体６０１と、送受信器６０２と、車輪６０３とから構成される。車輪６０３は、移動用のレール６０４の上に接触する。処理装置１０２との制御、画像の転送は、無線により送受信器６０２を介して実施される。
【００７４】
図１３を参照すると、ビデオカメラ１０５は、場所Ｘ、場所Ｙ間をレール６０４上で、処理装置１０２の制御により移動する。
【００７５】
次に、本発明の第２の実施の形態について図面を参照して詳細に説明する。
【００７６】
本発明の本発明の第２の実施の形態は、美術館手順と、監視センター手順と、保険会社手順と、金融機関手順とを含み、
監視依頼をネットワーク５００を介し監視センター手順に送信し（図５ステップＡ１）、前記監視センター手順からの監視条件を表示し（図５ステップＡ２）、入力された監視の決定通知をネットワーク５００を介し前記監視センター手順に送信し（図５ステップＡ４）、前記監視センター手順からの監視受諾通知を表示し（図５ステップＡ５）、ビデオカメラ１０５を起動し、ビデオカメラ１０５からの対象物の画像を初期画像とし保存し（図５ステップＡ６）、ビデオカメラ１０５からの画像と初期画像とをリアルタイムで比較し、不一致を検出すると（図５ステップＡ７／ＮＯ）、前記監視センター手順にネットワーク５００を介して異常発生通知を送信し（図６ステップＡ１３）、不一致を検出しないと（図５ステップＡ７／ＹＥＳ）、事前に設定された監視サイクルに達していれば（図５ステップＡ８／ＹＥＳ）、ビデオカメラ１０５を移動させ（図５ステップＡ９）、移動後の場所から撮影された前記対象物の画像と初期画像とを比較し（図５ステップＡ１０）、その結果により試験異常発生通知を前記監視センター手順に送信する（図５ステップＡ１１）前記美術館手順と、
前記美術館手順から監視依頼を受信するとネットワーク５００を介し監視条件を送信し（図５ステップＢ１）、前記美術館手順から監視の決定通知を受信するとネットワーク５００を介し前記金融機関手順に監視費用・保険料の振り込み依頼を送信し（図５ステップＢ２）、前記金融機関手順から振り込み完了通知を受信するとネットワーク５００を介し前記美術館手順に監視受諾通知を送信し（図５ステップＢ３）、前記美術館手順から異常発生通知を受信するとアラームを鳴動させ（図６ステップＢ６）、ネットワーク５００を介し前記保険会社手順に保険金の請求を送信し（図６ステップＢ７）、前記美術館手順から試験異常発生通知を受信すると試験異常発生を表示し（図５ステップＢ４、Ｂ５）、監視サイクルに達しても試験異常発生通知を前記美術館手順から受信しないと前記アラームを鳴動させる前記監視センター手順と、
前記監視センター手順から監視費用・保険料の振り込み依頼を受信すると、第１の口座に監視費用・保険料を振り込み（図５ステップＣ１）、ネットワーク５００を介して前記監視センター手順に振り込み完了通知を送信し（図５ステップＣ２）、前記保険会社手順から保険金の振り込み依頼を受信すると第２の口座に保険金を入金する（図６ステップＣ３）前記金融機関手順と、
前記監視センター手順から保険金の請求を受信するとネットワーク５００を介し前記金融機関手順に保険金の振り込み依頼を送信する（図６ステップＤ１）前記保険会社手順とを含む方法である。
【００７７】
次に、本発明の第３の実施の形態について図面を参照して詳細に説明する。
【００７８】
本発明の本発明の第３の実施の形態は、美術館手順と、監視センター手順と、保険会社手順と、金融機関手順とである、
監視依頼をネットワーク５００を介し監視センター手順に送信し（図５ステップＡ１）、前記監視センター手順からの監視条件を表示し（図５ステップＡ２）、入力された監視の決定通知をネットワーク５００を介し前記監視センター手順に送信し（図５ステップＡ４）、前記監視センター手順からの監視受諾通知を表示し（図５ステップＡ５）、ビデオカメラ１０５を起動し、ビデオカメラ１０５からの対象物の画像を初期画像とし保存し（図５ステップＡ６）、ビデオカメラ１０５からの画像と初期画像とをリアルタイムで比較し、不一致を検出すると（図５ステップＡ７／ＮＯ）、前記監視センター手順にネットワーク５００を介して異常発生通知を送信し（図６ステップＡ１３）、不一致を検出しないと（図５ステップＡ７／ＹＥＳ）、事前に設定された監視サイクルに達していれば（図５ステップＡ８／ＹＥＳ）、ビデオカメラ１０５を移動させ（図５ステップＡ９）、移動後の場所から撮影された前記対象物の画像と初期画像とを比較し（図５ステップＡ１０）、その結果により試験異常発生通知を前記監視センター手順に送信する（図５ステップＡ１１）前記美術館手順と、
前記美術館手順から監視依頼を受信するとネットワーク５００を介し監視条件を送信し（図５ステップＢ１）、前記美術館手順から監視の決定通知を受信するとネットワーク５００を介し前記金融機関手順に監視費用・保険料の振り込み依頼を送信し（図５ステップＢ２）、前記金融機関手順から振り込み完了通知を受信するとネットワーク５００を介し前記美術館手順に監視受諾通知を送信し（図５ステップＢ３）、前記美術館手順から異常発生通知を受信するとアラームを鳴動させ（図６ステップＢ６）、ネットワーク５００を介し前記保険会社手順に保険金の請求を送信し（図６ステップＢ７）、前記美術館手順から試験異常発生通知を受信すると試験異常発生を表示し（図５ステップＢ４、Ｂ５）、監視サイクルに達しても試験異常発生通知を前記美術館手順から受信しないと前記アラームを鳴動させる前記監視センター手順と、
前記監視センター手順から監視費用・保険料の振り込み依頼を受信すると、第１の口座に監視費用・保険料を振り込み（図５ステップＣ１）、ネットワーク５００を介して前記監視センター手順に振り込み完了通知を送信し（図５ステップＣ２）、前記保険会社手順から保険金の振り込み依頼を受信すると第２の口座に保険金を入金する（図６ステップＣ３）前記金融機関手順と、
前記監視センター手順から保険金の請求を受信するとネットワーク５００を介し前記金融機関手順に保険金の振り込み依頼を送信する（図６ステップＤ１）前記保険会社手順とをコンピュータ（美術館システム１０、監視センターシステム２０、保険会社システム３０、金融機関システム４０等）に実行させるプログラムである。
【００７９】
【発明の効果】
本発明の第１の効果は、異常を正確に検出できるかどうかの試験が自動的に実施できることである。
【００８０】
その理由は、撮影機の位置を移動し、故意に基準画像と異なる画像を撮影し、試験的に異常を検出するからである。
【００８１】
第２の効果は、監視費用、保険料等の処理が簡単なことである。
【００８２】
その理由は、監視センターが、ネットワークを介して、保険会社、金融機関等と接続されるからである。
【図面の簡単な説明】
【図１】本発明の第１の実施の形態の構成を示すブロック図である。
【図２】美術館システムの構成を示すブロック図である。
【図３】監視センターシステムの構成を示すブロック図である。
【図４】保険データベースの内容を示す説明図である。
【図５】本発明の第１の実施の形態の動作を示すフローチャートである。
【図６】本発明の第１の実施の形態の動作を示すフローチャートである。
【図７】美術品の盗難監視依頼の内容を示す説明図である。
【図８】監視依頼に対する監視条件を示す説明図である。
【図９】場所Ｘでのビデオカメラからの画像を示す説明図である。
【図１０】場所Ｙでのビデオカメラからの画像を示す説明図である。
【図１１】画像に異物を含む画像を示す説明図である。
【図１２】ビデオカメラの構成を示す説明図である。
【図１３】ビデオカメラの移動を示す説明図である。
【符号の説明】
１０    美術館システム
２０    監視センターシステム
３０    保険会社システム
４０    金融機関システム
１０１    依頼端末
１０２    処理装置
１０３    画像保存データベース
１０４    美術品
１０５    ビデオカメラ
２０１    処理装置
２０２    保険データベース
５００    ネットワーク
６０１    カメラ本体
６０２    送受信器
６０３    車輪
６０４    レール
【図１】
0003735578.tif 000002
【図２】
0003735578.tif 000003
【図３】
0003735578.tif 000004
【図４】
0003735578.tif 000005
【図５】
0003735578.tif 000006
【図６】
0003735578.tif 000007
【図７】
0003735578.tif 000008
【図８】
0003735578.tif 000009
【図９】
0003735578.tif 000010
【図１０】
0003735578.tif 000011
【図１１】
0003735578.tif 000012
【図１２】
0003735578.tif 000013
【図１３】
0003735578.tif 000014